(57)【特許請求の範囲】
【請求項１】
圧着端子がネジ締結されて、取り付けられる締結面を、配列面に対して同じ方向に傾斜して形成する複数の端子と、
この端子間を分離し、圧着端子の取付け方向を規制する第１の隔壁と、
この第１の隔壁に対して直角に前記端子間に設けられ、隣接する端子と分離する第２の隔壁と、
を有し、前記配列面は複数の前記端子を配列することによって形成されたことを特徴とする端子台であって、
前記第２の隔壁が前記端子の締結面から突出し、ネジ締結時に配列面に対して垂直方向に圧着端子を変形させ、隣接する端子との接触を防止し、離間を確保すると共に、端子間の沿面距離を確保することを特徴とする端子台。
【請求項２】
圧着端子がネジ締結されて、取り付けられる締結面を、配列面に対して同じ方向に傾斜して形成する複数の端子と、
この端子間を分離し、圧着端子の取付け方向を規制する第１の隔壁と、
この第１の隔壁に対して直角に前記端子間に設けられ、隣接する端子と分離する第２の隔壁と、
を有し、前記配列面は、複数の前記端子を配列することによって形成され、パネル計器に形成したことを特徴とする端子台であって、
前記第２の隔壁が前記端子の締結面から突出し、ネジ締結時に配列面に対して垂直方向に圧着端子を変形させ、隣接する端子との接触を防止し、離間を確保すると共に、端子間の沿面距離を確保することを特徴とする端子台。
【請求項３】
圧着端子がネジ締結されて、取り付けられる締結面を、配列面に対して同じ方向に傾斜して形成する複数の端子と、
この端子間を分離し、圧着端子の取付け方向を規制する第１の隔壁と、
この第１の隔壁に対して直角に前記端子間に設けられ、隣接する端子と分離する第２の隔壁と、
を有し、前記配列面が複数の前記端子を配列することによって形成する端子台を設けたことを特徴とするパネル計器であって、
前記第２の隔壁が前記端子の締結面から突出し、ネジ締結時に配列面に対して垂直方向に圧着端子を変形させ、隣接する端子との接触を防止し、離間を確保すると共に、端子間の沿面距離を確保することを特徴とするパネル計器。
【請求項４】
圧着端子がネジ締結されて、取り付けられる締結面を、配列面に対して同じ方向に傾斜して形成する複数の端子と、
この端子間を分離し、圧着端子の取付け方向を規制する第１の隔壁と、
この第１の隔壁に対して直角に前記端子間に設けられ、隣接する端子と分離する第２の隔壁と、
を有し、前記配列面が複数の前記端子を配列することによってケースの１つの面に形成された端子台を設けたことを特徴とするパネル計器であって、
前記第２の隔壁が前記端子の締結面から突出し、ネジ締結時に配列面に対して垂直方向に圧着端子を変形させ、隣接する端子との接触を防止し、離間を確保すると共に、端子間の沿面距離を確保することを特徴とするパネル計器。
【発明の詳細な説明】
【０００１】
【発明の属する技術分野】
本発明は、例えば、パネル計器等の機器に用いられる端子台に関し、機器を小型化することができる端子台に関するものである。
【０００２】
【従来の技術】
パネル計器は、前面にスイッチや表示部を有し、後面に端子台を形成している。そして、端子に圧着端子を取り付けなければならず、圧着端子同志が接触しないように、端子間に隙間を設けていた。このような端子台は、例えば、実開平３−１２４４８２号公報等に記載されている。
【０００３】
【発明が解決しようとする課題】
近年、パネル計器は、技術進歩に伴い、大型のパネル計器も小型化できるようになった。しかし、パネル計器の端子には、圧着端子が接続されるため、端子間に隙間を設け、圧着端子が端子のネジに接触しないようにする必要がある。そのため、大型のパネル計器を小型化できるとしても、端子を多く設けることができず、パネル計器の小型化の制限となっていた。
そこで、本発明の目的は、端子間に隙間を設ける必要がなく、小型化を図ることができる端子台を実現することにある。
【０００４】
【課題を解決するための手段】
第１の本発明は、
圧着端子がネジ締結されて、取り付けられる締結面を、配列面に対して同じ方向に傾斜して形成する複数の端子と、
この端子間を分離し、圧着端子の取付け方向を規制する第１の隔壁と、
この第１の隔壁に対して直角に前記端子間に設けられ、隣接する端子と分離する第２の隔壁と、
を有し、前記配列面は複数の前記端子を配列することによって形成されたことを特徴とする端子台であって、
前記第２の隔壁が前記端子の締結面から突出し、ネジ締結時に配列面に対して垂直方向に圧着端子を変形させ、隣接する端子との接触を防止し、離間を確保すると共に、端子間の沿面距離を確保することを特徴とするものである。
【０００５】
第２の本発明は、
圧着端子がネジ締結されて、取り付けられる締結面を、配列面に対して同じ方向に傾斜して形成する複数の端子と、
この端子間を分離し、圧着端子の取付け方向を規制する第１の隔壁と、
この第１の隔壁に対して直角に前記端子間に設けられ、隣接する端子と分離する第２の隔壁と、
を有し、前記配列面は、複数の前記端子を配列することによって形成され、パネル計器に形成したことを特徴とする端子台であって、
前記第２の隔壁が前記端子の締結面から突出し、ネジ締結時に配列面に対して垂直方向に圧着端子を変形させ、隣接する端子との接触を防止し、離間を確保すると共に、端子間の沿面距離を確保することを特徴とするものである。
【０００６】
第３の本発明は、
圧着端子がネジ締結されて、取り付けられる締結面を、配列面に対して同じ方向に傾斜して形成する複数の端子と、
この端子間を分離し、圧着端子の取付け方向を規制する第１の隔壁と、
この第１の隔壁に対して直角に前記端子間に設けられ、隣接する端子と分離する第２の隔壁と、
を有し、前記配列面が複数の前記端子を配列することによって形成する端子台を設けたことを特徴とするパネル計器であって、
前記第２の隔壁が前記端子の締結面から突出し、ネジ締結時に配列面に対して垂直方向に圧着端子を変形させ、隣接する端子との接触を防止し、離間を確保すると共に、端子間の沿面距離を確保することを特徴とするものである。
【０００７】
第４の本発明は、
圧着端子がネジ締結されて、取り付けられる締結面を、配列面に対して同じ方向に傾斜して形成する複数の端子と、
この端子間を分離し、圧着端子の取付け方向を規制する第１の隔壁と、
この第１の隔壁に対して直角に前記端子間に設けられ、隣接する端子と分離する第２の隔壁と、
を有し、前記配列面が複数の前記端子を配列することによってケースの１つの面に形成された端子台を設けたことを特徴とするパネル計器であって、
前記第２の隔壁が前記端子の締結面から突出し、ネジ締結時に配列面に対して垂直方向に圧着端子を変形させ、隣接する端子との接触を防止し、離間を確保すると共に、端子間の沿面距離を確保することを特徴とするものである。
【０００８】
このような本発明では、圧着端子を端子にネジ締結する時に、第２の隔壁により圧着端子が配列面に対し垂直方向に変形し、圧着端子の配線の方向が配列面に対して垂直方向に変わる。
【０００９】
【発明の実施の形態】
以下図面を用いて本発明を説明する。
図１，２は本発明の一実施の形態を示した構成図である。図１は断面図で、図２は上面図である。但し、図２は圧着端子を取り付けていない状態の図である。図において、１０はケースで、配列面を構成している。２０は端子で、ケース１０に設けられ、圧着端子３０を締結する締結面をケース１０の配列面に対して傾斜して形成する。４０はプリント基板で、電極（図示せず）を有し、端子２０と電気的に接続する。
【００１０】
ケース１０において、１１は取付け穴で、配列面に概略四角形に貫通して複数設けられ、端子２０が挿入され取り付けられる。１２，１３は溝部で、取付け穴１１に対向して設けられる。１４はストッパー部材で、取付け穴１１に設けられ、端子２０を保持する。１５は挿入溝で、プリント基板４０が挿入され、端子２０に導き、電気的に接続させる。
【００１１】
１６は第１の隔壁で、取付け穴１１の延長上に設けられ、端子２０と隣接する端子２０とを分離し、圧着端子３０の取付け方向を規制する。
１７は第２の隔壁で、取付け穴１１の延長上に設けられ、第１の隔壁１６に対して直角に端子２０間に設けられ、隣接する端子２０と分離する。そして、端子２０の締結面から約２ｍｍ突出し、ネジ締結時に端子２０の配列面に対して垂直方向に圧着端子３０を変形させ、隣接する端子２０との接触を防止し、一定の離間を保つ。
【００１２】
端子２０において、ナット部材２１は、厚手の板材で概略コ字形に形成され、図３に示されるように、中間片２１ａとその両端に開放片２１ｂ，２１ｃを有している。ここで、図３の（ａ）は左側面図、（ｂ）は正面図、（ｃ）は右側面図である。そして、中間片２１ａにはネジ穴２１ｄが設けられている。
【００１３】
バネ部材２２は、バネ板で概略コ字形に形成され、内側にナット部材２１を挟み、図４に示されるように中間片２２ａとその両端に開放片２２ｂ，２２ｃを有している。ここで、図４の（ａ）は左側面図、（ｂ）は正面図、（ｃ）は右側面図である。
中間片２２ａは座金付きネジ２３が貫通する穴２２ｄが設けられていて、圧着端子３０が締結される締結面となる。
【００１４】
開放片２２ｂ，２２ｃは、それぞれ突起部２２ｅ，２２ｆを有し、突起部２２ｅ，２２ｆが溝部１２，１３に挿入され、取付け穴１１から端子２０が抜けることを防止する。そして、開放片２２ｃは概略Ｕ字状にコ字形の内側に湾曲形成され、さらに先端が内側へ湾曲形成され、プリント基板４０に電気的に接続する。
【００１５】
このような装置の圧着端子３０の取付け動作を以下で説明する。
圧着端子３０をバネ部材２２の中間片２２ａに座金付きネジ２３によりネジ止めする。このとき、圧着端子３０が座金付きネジ２３により中間片２２ａに平面的に電気的に接続する過程において、圧着端子３０が第２の隔壁１７により変形し、圧着端子３０の配線方向が変わる。
【００１６】
このように、圧着端子３０を端子２０に座金付きネジ２３で締結するときに、第２の隔壁１７で圧着端子３０を変形させ、圧着端子３０の配線方向を端子２０の配列面に対し垂直方向に変えるので、端子２０同志を隣接して設けても、圧着端子３０が隣接する端子２０（座金付きネジ２３）に接触することがなく、一定離間を確保することができる。従って、端子２０間に隙間を設ける必要がなく、小型化することができる。
また、圧着端子３０の締結面より突出している第１，第２の隔壁１６，１７により端子２０間の沿面距離を稼ぐことができるので、端子２０間を隣接して設けることができ、小型化をすることができる。
【００１７】
なお、本発明はこれに限定されるものではない。すなわち、ケース１０に差し込まれたプリント基板４０が直接端子２０に接続する例を示したが、他のプリント基板を介在させた構成でもよい。例えば、実開昭５７−９７３８３号公報に示されるような構成である。また、ナット部材２１とバネ部材２２とからなる端子金具の例を示したが、一体型のものでもよい。例えば、特開平７−２０９３３１号公報に示されるような構成である。
【００１８】
【発明の効果】
本発明によれば、以下のような効果がある。
圧着端子を端子にネジで締結するときに、第２の隔壁で圧着端子を変形させ、圧着端子の配線方向を端子の配列面に対し垂直方向に変えるので、端子を隣接して設けても、圧着端子が隣接する端子に接触することがなく、一定離間を確保することができる。従って、端子間に隙間を設ける必要がなく、小型化することができる。
また、圧着端子の締結面より突出している第１，第２の隔壁により端子間の沿面距離を稼ぐことができるので、端子間を隣接して設けることができ、小型化をすることができる。
【図面の簡単な説明】
【図１】本発明の一実施の形態を示した断面構成図である。
【図２】本発明の一実施の形態を示した上面構成図である。
【図３】ナット部材２１の構成図である。
【図４】バネ部材２２の構成図である。
【符号の説明】
１０  ケース
１６  第１の隔壁
１７  第２の隔壁
２０  端子
２３  座金付きネジ
３０  圧着端子
【図１】
0003554826.tif 000002
【図２】
0003554826.tif 000003
【図３】
0003554826.tif 000004
【図４】
0003554826.tif 000005